(57)【要約】  無線通信システムでの無線チャネルの品質管理における無線リソースの利用効率を向上させる。  監視部２は、親局装置と端末装置との間に確立される無線チャネルの品質を監視する。識別部３は、端末装置の属性若しくは親局装置と端末装置との通信において指定されているコネクションの属性を示す属性情報の識別を行う。制御部４は、この無線チャネルの品質管理のために通信の相手方に対して周期的に通知する管理情報の通知周期の決定を、監視部２での無線チャネルの品質の監視結果と、識別部３での属性情報の識別結果との両者に基づいて行う。
2008026256.tif 000002
【特許請求の範囲】
【請求項１】
親局装置と端末装置との間で無線通信を行う無線通信システムにおける親局装置であって、
前記端末装置の属性若しくは該端末装置との通信において指定されているコネクションの属性を示す属性情報の識別を行う識別部と、
前記端末装置との間に確立された無線チャネルの品質管理のために該端末装置へ周期的に通知している管理情報の通知周期を、前記属性情報の識別結果に基づいて決定する制御を行う制御部と、
を有することを特徴とする親局装置。
【請求項２】
前記無線チャネルの品質を監視する監視部を更に有し、
前記制御部は、更に前記無線チャネルの品質の監視結果に基づいて前記通知周期を決定する制御を行う、
ことを特徴とする請求項１に記載の親局装置。
【請求項３】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記端末装置から送られてくるものを、該無線チャネルの品質として監視することを特徴とする請求項２に記載の親局装置。
【請求項４】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記親局装置で測定されたものを、該無線チャネルの品質として監視することを特徴とする請求項２に記載の親局装置。
【請求項５】
前記制御部による制御によって決定された通知周期を前記端末装置へ指示する指示部を更に有することを特徴とする請求項１に記載の親局装置。
【請求項６】
前記属性情報で示されている属性は、前記端末装置が固定端末であるか移動端末であるかを識別する属性であることを特徴とする請求項１に記載の親局装置。
【請求項７】
前記属性情報で示されている属性は、前記端末装置の電源の残量を示していることを特徴とする請求項１に記載の親局装置。
【請求項８】
前記属性情報で示されている属性は、前記端末装置との通信の優先度若しくは該端末装置との通信について指定されているコネクションの優先度を示していることを特徴とする請求項１に記載の親局装置。
【請求項９】
親局装置と端末装置との間で無線通信を行う無線通信システムにおける端末装置であって、
前記端末装置の属性若しくは前記親局装置との通信において指定されているコネクションの属性を示す属性情報の識別を行う識別部と、
前記親局装置との間に確立された無線チャネルの品質管理のために該親局装置へ周期的に通知している管理情報の通知周期を、前記属性情報の識別結果に基づいて決定する制御を行う制御部と、
を有することを特徴とする端末装置。
【請求項１０】
前記無線チャネルの品質を監視する監視部を更に有し、
前記制御部は、更に前記無線チャネルの品質の監視結果に基づいて前記通知周期を決定する制御を行う、
ことを特徴とする請求項９に記載の端末装置。
【請求項１１】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記親局装置から送られてくるものを、該無線チャネルの品質として監視することを特徴とする請求項１０に記載の端末装置。
【請求項１２】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記端末装置で測定されたものを、該無線チャネルの品質として監視することを特徴とする請求項１０に記載の端末装置。
【請求項１３】
前記制御部による制御によって決定された通知周期を前記親局装置へ指示する指示部を更に有することを特徴とする請求項９に記載の端末装置。
【請求項１４】
前記属性情報で示されている属性は、前記端末装置が固定端末であるか移動端末であるかを識別する属性であることを特徴とする請求項９に記載の端末装置。
【請求項１５】
前記属性情報で示されている属性は、前記端末装置の電源の残量を示していることを特徴とする請求項９に記載の端末装置。
【請求項１６】
前記属性情報で示されている属性は、前記親局装置との通信の優先度若しくは該親局装置との通信について指定されているコネクションの優先度を示していることを特徴とする請求項９に記載の端末装置。
【請求項１７】
親局装置と端末装置との間で無線通信を行う無線通信システムにおいて該親局装置と該端末装置との間に確立される無線チャネルの品質管理の方法であって、
前記無線チャネルの品質を監視し、
前記端末装置の属性若しくは親局装置と端末装置との通信において指定されているコネクションの属性を示す属性情報の識別を行い、
前記無線チャネルの品質管理のために前記通信の相手方に対して周期的に通知する管理情報の通知周期の決定を、該無線チャネルの品質の監視結果と前記属性情報の識別結果との両者に基づいて行う、
ことを特徴とする無線チャネルの品質管理方法。
【請求項１８】
前記属性情報で示されている属性は、前記端末装置が固定端末であるか移動端末であるかを識別する属性であり、
前記端末装置が移動端末との識別結果を得た場合には、該端末装置が固定端末との識別結果を得た場合よりも短くなるように前記通知周期の決定を行い、
前記端末装置が固定端末との識別結果を得ている場合において、前記無線チャネルの品質の変動が所定の判定閾値よりも大きいとの監視結果を得た場合には、前記通知周期を短く変更する決定を行い、
前記端末装置が移動端末との識別結果を得ている場合において、前記無線チャネルの品質の変動が所定の判定閾値よりも小さいとの監視結果を得た場合には、前記通知周期を長く変更する決定を行う、
ことを特徴とする請求項１７に記載の無線チャネルの品質管理方法。
【請求項１９】
前記属性情報で示されている属性は、前記端末装置の電源の残量を示しており、
前記属性情報の識別によって識別された前記端末装置の電源の残量が所定の閾値よりも少ない場合には、該端末装置の電源の残量が該閾値よりも多く残っている場合よりも長くなるように前記通知周期の決定を行い、
前記属性情報の識別によって識別された前記端末装置の電源の残量が前記閾値よりも少ない場合において、前記無線チャネルの品質の変動が所定の判定閾値よりも大きいとの監視結果を得た場合には、前記通知周期を短く変更する決定を行い、
前記属性情報の識別によって識別された前記端末装置の電源の残量が前記閾値よりも多く残っている場合において、前記無線チャネルの品質の変動が所定の判定閾値よりも小さいとの監視結果を得た場合には、前記通知周期を長く変更する決定を行う、
ことを特徴とする請求項１７に記載の無線チャネルの品質管理方法。
【請求項２０】
前記属性情報で示されている属性は、前記端末装置との通信の優先度若しくは該端末装置との通信について指定されているコネクションの優先度を示しており、
前記属性情報の識別によって識別された優先度が所定の優先度よりも高い場合には、該属性情報の識別によって識別された優先度が該所定の優先度よりも低い場合よりも短くなるように前記通知周期の決定を行い、
前記属性情報の識別によって識別された優先度が所定の優先度よりも高い場合において、前記無線チャネルの品質の変動が所定の判定閾値よりも大きいとの監視結果を得た場合には、前記通知周期を短く変更する決定を行い、
前記無線チャネルの品質の変動が所定の判定閾値よりも小さいとの監視結果を得た場合には、前記通知周期を長く変更する決定を行う、
ことを特徴とする請求項１７に記載の無線チャネルの品質管理方法。
【発明の詳細な説明】
【技術分野】
【０００１】
本発明は、無線通信技術に関し、特に、無線通信システムにおける無線チャネルの品質管理の技術に関する。
【背景技術】
【０００２】
基地局（親局）と端末（子局）と間で信号の送受信を行う無線通信システムがある。このシステムにおいて、端末が送信する上り信号が基地局で一定の受信電力で受信されるようにするための送信電力及び送信タイミングの制御や、基地局が送信する下り信号を端末で受信したときの電波の強度及び無線チャネル品質の基地局への通知は一般的に行われている。【０００３】
このうち、上り送信電力の制御は、基地局近傍の端末の送信電力を小さくして他の端末の通信への干渉の削減と省電力とを図る一方で、基地局から遠方の端末の送信電力は大きくして基地局で受信されるこの端末からの電波の強度を高めるというものである。また、上り送信タイミングの制御は、伝播遅延等による基地局での受信タイミングを補正するために行うものである。これらの制御によって、無線チャネルの品質の安定化が図られる。【０００４】
また、端末で受信した下り信号の電波強度及び無線チャネル品質の基地局への通知は、無線チャネルの品質に応じて変調方式を動的に選択する適応変調方式において特に重要である。このような適応変調方式を採用した代表的な無線通信システムとして、３ＧＰＰ（3rd Generation Partnership Project）にて規格化されているＨＳＰＤＡ（High Speed Downlink Packet Access ）や、ＩＥＥＥ（Institute of Electrical and Electronic Engineers）において標準化が進められている８０２．１６仕様（いわゆるＷｉＭＡＸ：Worldwide Interoperability for Microwave Access ）などがある。【０００５】
ＷｉＭＡＸにおいては、送信電力及び送信タイミングの制御や無線チャネル品質の通知に関する制御メッセージは、ユーザデータと同様に、無線フレーム上のバーストと呼ばれるある領域を用いて送受信される。このため、ひとつの基地局に対して同時に接続している端末数が多くなるほど、また、送受信の頻度が高くなるほど、こういった制御メッセージのために消費される無線フレーム上のリソース量が増大し、その分ユーザデータの送受信に使用できるリソース量は当然少なくなる。こうなると、スループットの低下や、伝送データの遅延や廃棄が発生し、通信品質（ＱｏＳ：Quality of Service）に影響を及ぼすこととなる。【０００６】
ところで、ＷｉＭＡＸにおいて、送信電力及び送信タイミングの制御手順はレンジング（Ranging）手順として定義されているが、その制御手順の実行周期の決定手法は任意であり、システムベンダマターとされている。また、無線チャネル品質の通知手順についても、毎回基地局からの要求に対して端末が応答して通知する手順や、ＣＱＩＣＨなる通知用の無線チャネルを確立して端末から基地局へ一定間隔で通知する手順などは規定されているものの、その通知間隔の決定手法はシステムベンダマターとされている。【０００７】
このような制御手順の実行周期の決定手法や通知間隔の決定手法に関し、幾つかの提案がなされている。
例えば特許文献１には、無線チャネル品質の変化程度若しくはその分散に基づいて、無線チャネル品質の報告周期を変化させる技術が開示されている。【０００８】
また、例えば特許文献２には、無線チャネル品質若しくはその分散が閾値を超えた場合に、無線チャネル品質の通知間隔を長くするという技術が開示されている。
【特許文献１】特開２００５−２４４９９１号公報
【特許文献２】特開２００４−２０７８３９号公報
【発明の開示】
【発明が解決しようとする課題】
【０００９】
従来の無線チャネル品質の管理手法では、特に、端末の態様、端末の状況、端末が使用するコネクションの種別などといった端末の属性を特に意識することなく、全ての端末に対して一律同じ方法で管理を行っている。このため、以下のような効率の低下を生じさせている。【００１０】
例えばＷｉＭＡＸにおいては、ＦＷＡ（固定無線アクセス：Fixed Wireless Access ）向けの８０２．１６−２００４仕様とモバイル（移動通信）向けの８０２．１６ｅ仕様との両方が含まれている。また、実際のＷｉＭＡＸシステムにおいてもＦＷＡ向けの固定端末とモバイル向けの移動端末とが混在することが考えられる。一般的には、固定端末の方が移動端末よりも無線チャネル品質がより安定していることが予想されるが、ここで、固定端末と移動端末との両者に対して無線チャネル品質の管理を均一に行うと、固定端末についての制御メッセージが移動端末のものよりも冗長となり、無線リソースを浪費する虞がある。【００１１】
またＷｉＭＡＸはＱｏＳをサポートしていることを特徴としており、ＵＧＳ（Unsolicited Grant Service）、ｅｒｔＰＳ（extended real-time Poling Service）、ｒｔＰＳ（real-time Poling Service）、ｎｒｔＰＳ（non real-time Poling Service）、ＢＥ（Best Effort）などのスケジューリングタイプ（以下、「ＱｏＳクラス」と称することとする。）が定義されている。ここで、例えば通信の優先度が高いＵＧＳクラスでは、必要な帯域や許容遅延などを保証した通信が可能であるが、通信の優先度の低いＢＥではそのような通信品質の保証は無く、無線リソースに空きがあれば通信を行う。【００１２】
このように、端末が使用するコネクション毎にＱｏＳクラスが異なるにも拘らず、全ての端末に対して無線チャネル品質の管理を均一に行うと、低優先度のＱｏＳクラスのコネクションについての制御メッセージが高優先度のＱｏＳクラスのコネクションについてのものよりも冗長となる。すると、品質を保証しなければならない高優先度のＱｏＳクラスのコネクションに必要な無線リソースが少なくなってしまうため、通信品質が保証できなくなる虞がある。【００１３】
本発明は上述した問題に鑑みてなされたものであり、その解決しようとする課題は、無線通信システムでの無線チャネルの品質管理における無線リソースの利用効率を向上させることである。
【課題を解決するための手段】
【００１４】
本発明の態様のひとつである親局装置は、親局装置と端末装置との間で無線通信を行う無線通信システムにおける親局装置であって、端末装置の属性若しくは該端末装置との通信において指定されているコネクションの属性を示す属性情報の識別を行う識別部と、端末装置との間に確立された無線チャネルの品質管理のために該端末装置へ周期的に通知している管理情報の通知周期を、属性情報の識別結果に基づいて決定する制御を行う制御部と、を有することを特徴とするものであり、この特徴によって前述した課題を解決する。【００１５】
この構成によれば、管理情報の通知が上述した属性に応じた適切な頻度で行うことができるようになる結果、無線リソースの利用効率が向上する。
なお、上述した本発明に係る親局装置において、無線チャネルの品質を監視する監視部を更に有し、制御部は、更に無線チャネルの品質の監視結果に基づいて通知周期を決定する制御を行う、ように構成することもできる。【００１６】
この構成によれば、管理情報の通知が無線チャネルの品質にも応じた適切な頻度で行うことができるようになる結果、無線リソースの利用効率が向上する。
なお、このとき、監視部は、無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって端末装置から送られてくるものを、該無線チャネルの品質として監視するように構成することができる。【００１７】
この構成によれば、管理情報の通知が、端末装置側で測定された無線チャネルの品質に応じた適切な頻度で行うことができるようになる。
あるいは、このとき、監視部は、無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって親局装置で測定されたものを、該無線チャネルの品質として監視するように構成することもできる。【００１８】
この構成によれば、管理情報の通知が、親局装置で測定された無線チャネルの品質に応じた適切な頻度で行うことができるようになる。
また、前述した本発明に係る親局装置において、制御部による制御によって決定された通知周期を端末装置へ指示する指示部を更に有するように構成することができる。【００１９】
この構成によれば、端末装置から親局装置への管理情報の通知を、親局装置側で決定された通知周期で端末装置に行わせることができるようになる。
また、前述した本発明に係る親局装置において、属性情報で示されている属性は、端末装置が固定端末であるか移動端末であるかを識別する属性であるように構成することができる。【００２０】
この構成によれば、管理情報の通知を、端末装置が固定端末であるか移動端末であるかにより適切な頻度で行うことができるようになる。
また、前述した本発明に係る親局装置において、属性情報で示されている属性は、端末装置の電源の残量を示しているように構成することができる。【００２１】
この構成によれば、管理情報の通知を、端末装置の電源の残量に応じた適切な頻度で行うことができるようになる。
また、前述した本発明に係る親局装置において、属性情報で示されている属性は、端末装置との通信の優先度若しくは該端末装置との通信について指定されているコネクションの優先度を示しているように構成することができる。【００２２】
この構成によれば、管理情報の通知を、端末装置との通信の優先度若しくは端末装置との通信について指定されているコネクションの優先度に応じた適切な頻度で行うことができるようになる。【００２３】
また、本発明の別の態様のひとつである端末装置は、親局装置と端末装置との間で無線通信を行う無線通信システムにおける端末装置であって、端末装置の属性若しくは親局装置との通信において指定されているコネクションの属性を示す属性情報の識別を行う識別部と、親局装置との間に確立された無線チャネルの品質管理のために該親局装置へ周期的に通知している管理情報の通知周期を、属性情報の識別結果に基づいて決定する制御を行う制御部と、を有することを特徴とするものであり、この特徴によって前述した課題を解決する。【００２４】
この構成によれば、管理情報の通知が上述した属性に応じた適切な頻度で行うことができるようになる結果、無線リソースの利用効率が向上する。
なお、上述した本発明に係る端末装置において、無線チャネルの品質を監視する監視部を更に有し、制御部は、更に無線チャネルの品質の監視結果に基づいて通知周期を決定する制御を行う、ように構成することができる。【００２５】
この構成によれば、管理情報の通知が無線チャネルの品質にも応じた適切な頻度で行うことができるようになる結果、無線リソースの利用効率が向上する。
なお、このとき、監視部は、無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって親局装置から送られてくるものを、該無線チャネルの品質として監視するように構成することができる。【００２６】
この構成によれば、管理情報の通知が、親局装置側で測定された無線チャネルの品質に応じた適切な頻度で行うことができるようになる。
あるいは、このとき、監視部は、無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって端末装置で測定されたものを、該無線チャネルの品質として監視するように構成することもできる。【００２７】
この構成によれば、管理情報の通知が、端末装置で測定された無線チャネルの品質に応じた適切な頻度で行うことができるようになる。
また、前述した本発明に係る端末装置において、制御部による制御によって決定された通知周期を親局装置へ指示する指示部を更に有するように構成することができる。【００２８】
この構成によれば、親局装置から子局装置への管理情報の通知を、子局装置側で決定された通知周期で親局装置に行わせることができるようになる。
また、前述した本発明に係る端末装置において、属性情報で示されている属性は、端末装置が固定端末であるか移動端末であるかを識別する属性であるように構成することができる。【００２９】
この構成によれば、管理情報の通知を、端末装置が固定端末であるか移動端末であるかにより適切な頻度で行うことができるようになる。
また、前述した本発明に係る端末装置において、属性情報で示されている属性は、端末装置の電源の残量を示しているように構成することができる。【００３０】
この構成によれば、管理情報の通知を、端末装置の電源の残量に応じた適切な頻度で行うことができるようになる。
また、前述した本発明に係る端末装置において、属性情報で示されている属性は、親局装置との通信の優先度若しくは該親局装置との通信について指定されているコネクションの優先度を示しているように構成することができる。【００３１】
この構成によれば、管理情報の通知を、親局装置との通信の優先度若しくは親局装置との通信について指定されているコネクションの優先度に応じた適切な頻度で行うことができるようになる。【００３２】
また、本発明の更なる別の態様のひとつである無線チャネルの品質管理方法は、親局装置と端末装置との間で無線通信を行う無線通信システムにおいて該親局装置と該端末装置との間に確立される無線チャネルの品質管理の方法であって、無線チャネルの品質を監視し、端末装置の属性若しくは親局装置と端末装置との通信において指定されているコネクションの属性を示す属性情報の識別を行い、無線チャネルの品質管理のために通信の相手方に対して周期的に通知する管理情報の通知周期の決定を、該無線チャネルの品質の監視結果と属性情報の識別結果との両者に基づいて行う、ことを特徴とするものであり、この特徴によって前述した課題を解決する。【００３３】
この構成によれば、管理情報の通知が上述した属性に応じた適切な頻度で行うことができるようになる結果、無線リソースの利用効率が向上する。
なお、上述した本発明に係る無線チャネルの品質管理方法において、属性情報で示されている属性は、端末装置が固定端末であるか移動端末であるかを識別する属性であり、端末装置が移動端末との識別結果を得た場合には、該端末装置が固定端末との識別結果を得た場合よりも短くなるように通知周期の決定を行い、端末装置が固定端末との識別結果を得ている場合において、無線チャネルの品質の変動が所定の判定閾値よりも大きいとの監視結果を得た場合には、通知周期を短く変更する決定を行い、端末装置が移動端末との識別結果を得ている場合において、無線チャネルの品質の変動が所定の判定閾値よりも小さいとの監視結果を得た場合には、通知周期を長く変更する決定を行う、ようにすることができる。【００３４】
このようにすることにより、管理情報の通知を、端末装置が固定端末であるか移動端末であるかにより適切な頻度で行うことができるようになる。
また、前述した本発明に係る無線チャネルの品質管理方法において、属性情報で示されている属性は、端末装置の電源の残量を示しており、属性情報の識別によって識別された端末装置の電源の残量が所定の閾値よりも少ない場合には、該端末装置の電源の残量が該閾値よりも多く残っている場合よりも長くなるように通知周期の決定を行い、属性情報の識別によって識別された端末装置の電源の残量が閾値よりも少ない場合において、無線チャネルの品質の変動が所定の判定閾値よりも大きいとの監視結果を得た場合には、通知周期を短く変更する決定を行い、属性情報の識別によって識別された端末装置の電源の残量が閾値よりも多く残っている場合において、無線チャネルの品質の変動が所定の判定閾値よりも小さいとの監視結果を得た場合には、通知周期を長く変更する決定を行う、ようにすることができる。【００３５】
このようにすることにより、管理情報の通知を、端末装置の電源の残量に応じた適切な頻度で行うことができるようになる。
また、前述した本発明に係る無線チャネルの品質管理方法において、属性情報で示されている属性は、端末装置との通信の優先度若しくは該端末装置との通信について指定されているコネクションの優先度を示しており、属性情報の識別によって識別された優先度が所定の優先度よりも高い場合には、該属性情報の識別によって識別された優先度が該所定の優先度よりも低い場合よりも短くなるように通知周期の決定を行い、属性情報の識別によって識別された優先度が所定の優先度よりも高い場合において、無線チャネルの品質の変動が所定の判定閾値よりも大きいとの監視結果を得た場合には、通知周期を短く変更する決定を行い、無線チャネルの品質の変動が所定の判定閾値よりも小さいとの監視結果を得た場合には、通知周期を長く変更する決定を行う、ようにすることができる。【００３６】
このようにすることにより、管理情報の通知を、親局装置との通信の優先度若しくは親局装置との通信について指定されているコネクションの優先度に応じた適切な頻度で行うことができるようになる。
【発明の効果】
【００３７】
本発明によれば、以上のようにすることにより、無線通信システムでの無線チャネルの品質管理における無線リソースの利用効率が向上するという効果を奏する。
【図面の簡単な説明】
【００３８】
【図１】本発明を実施する通信システムの第一の基本構成を示す図である。
【図２Ａ】図１に示した通信システムの具体的な構成例（その１）を示す図である。
【図２Ｂ】図１に示した通信システムの具体的な構成例（その２）を示す図である。
【図２Ｃ】図１に示した通信システムの具体的な構成例（その３）を示す図である。
【図３】本発明を実施する通信システムの第二の基本構成を示す図である。
【図４Ａ】図３に示した通信システムの具体的な構成例（その１）を示す図である。
【図４Ｂ】図３に示した通信システムの具体的な構成例（その２）を示す図である。
【図４Ｃ】図３に示した通信システムの具体的な構成例（その３）を示す図である。
【図５】無線チャネル品質通知周期デフォルト値決定処理の処理内容をフローチャートで示した図である。
【図６Ａ】通知周期デフォルト値判定処理の第一の例を示す図である。
【図６Ｂ】通知周期デフォルト値判定処理の第二の例を示す図である。
【図６Ｃ】通知周期デフォルト値判定処理の第三の例を示す図である。
【図７】無線チャネル品質通知周期変更処理の処理内容の第一の例をフローチャートで示した図である。
【図８Ａ】通知周期変更判定処理の第一の例を示す図である。
【図８Ｂ】通知周期変更判定処理の第二の例を示す図である。
【図８Ｃ】通知周期変更判定処理の第三の例を示す図である。
【図９】無線チャネル品質通知周期変更処理の処理内容の第二の例をフローチャートで示した図である。
【図１０Ａ】親局と端末との間の制御メッセージの授受の手順の第一の例を示す図である。
【図１０Ｂ】親局と端末との間の制御メッセージの授受の手順の第二の例を示す図である。
【図１０Ｃ】親局と端末との間の制御メッセージの授受の手順の第三の例を示す図である。
【図１０Ｄ】親局と端末との間の制御メッセージの授受の手順の第四の例を示す図である。
【図１１】親局と端末との間で確立している無線チャネルの品質の変化の様子を示す図（その１）である。
【図１２Ａ】親局と端末との間の制御メッセージの授受の手順の第五の例を示す図である。
【図１２Ｂ】親局と端末との間の制御メッセージの授受の手順の第六の例を示す図である。
【図１２Ｃ】親局と端末との間の制御メッセージの授受の手順の第七の例を示す図である。
【図１２Ｄ】親局と端末との間の制御メッセージの授受の手順の第八の例を示す図である。
【図１３】親局と端末との間で確立している無線チャネルの品質の変化の様子を示す図（その２）である。
【図１４Ａ】ＷｉＭＡＸを採用して無線通信を行っている親局と端末との間の制御メッセージの授受の手順の第一の例を示す図である。
【図１４Ｂ】ＷｉＭＡＸを採用して無線通信を行っている親局と端末との間の制御メッセージの授受の手順の第二の例を示す図である。
【図１４Ｃ】ＷｉＭＡＸを採用して無線通信を行っている親局と端末との間の制御メッセージの授受の手順の第三の例を示す図である。
【図１４Ｄ】ＷｉＭＡＸを採用して無線通信を行っている親局と端末との間の制御メッセージの授受の手順の第四の例を示す図である。
【図１５】Ｐｅｒｉｏｄｉｃ＿Ｒａｎｇｉｎｇメッセージシーケンスを説明する図である。
【図１６Ａ】ＷｉＭＡＸを採用して無線通信を行っている親局と端末との間でのＰｅｒｉｏｄｉｃ＿Ｒａｎｇｉｎｇメッセージシーケンスの進行の様子を示す図（その１）である。
【図１６Ｂ】ＷｉＭＡＸを採用して無線通信を行っている親局と端末との間でのＰｅｒｉｏｄｉｃ＿Ｒａｎｇｉｎｇメッセージシーケンスの進行の様子を示す図（その２）である。
【符号の説明】
【００３９】
１  送受信部
２  監視部
３  識別部
４  制御部
５  指示部
１０  基地局
２０  制御局
３０  端末
【発明を実施するための最良の形態】
【００４０】
以下、本発明の実施の形態を図面に基づいて説明する。なお、以下の説明では、通信ネットワーク内に存在する通信装置のうち、基地局と制御局とを総称するときは「親局」と称することとして、子局である端末と区別することとする。【００４１】
以下に説明する本発明を実施する無線通信システムの実施例では、まず、親局若しくは端末において、端末の属性若しくは親局と端末とのコネクションの属性を識別する。この属性として、以下の情報を使用する。
（１）端末が固定端末であるか移動端末であるかを示す情報
（２）端末の電源の残量を示す情報
（３）端末の通信優先度及び端末との通信に指定されているコネクション（ＱｏＳクラス）の優先度
ここで、属性情報として、上記の（１）の情報を使用する場合には、以下のようにして無線チャネルの品質管理を行う。【００４２】
まず、親局は、例えば端末との接続を確立したときに、無線チャネル品質の通知周期のデフォルト値を決定する。ここで、接続先の端末が固定端末の場合には比較的長い通知周期(例えば１秒)をデフォルト値とし、移動端末の場合には比較的短い通知周期(例えば５０ミリ秒)をデフォルト値とする。【００４３】
次に、親局は、このデフォルト値の通知周期で、無線チャネル品質情報の通知を端末に対して周期的に要求する。そして、この要求に応じて端末より通知される制御メッセージに示されている無線チャネル品質の計測結果に基づいて、無線チャネル品質の変動度合いを監視する。なお、この変動度合いの監視の手法としては、例えば、過去数回の計測結果値に対する移動平均、変化量の絶対値の和、または分散を求める手法などがある。【００４４】
親局は、この監視結果に基づき、端末が移動端末であるにも拘らず無線チャネル品質の変動が小さいと判断される場合には、無線チャネル品質の通知周期をデフォルト値よりも長く(例えば５００ミリ秒)する。こうすることで、無線チャネル品質を通知する制御メッセージの量が削減される。一方、親局は、この監視結果に基づき、端末が固定端末であるにも拘らず無線チャネル品質の変動が大きいと判断される場合には、無線チャネル品質の通知周期をデフォルト値よりも短く(例えば１００ミリ秒)する。こうすることにより、無線チャネル品質がより正確に把握できるようになるので通信エラーの増加が抑制されて通信品質が維持される。【００４５】
また、属性情報として、上記の（２）の情報を使用する場合には、以下のようにして無線チャネルの品質管理を行う。
まず、親局は、例えば端末との接続を確立したときに、無線チャネル品質の通知周期のデフォルト値を決定する。ここで、接続先の端末が使用している電源の残量が所定値よりも少なくなっている場合には比較的長い通知周期(例えば１秒)をデフォルト値とし、その残量が所定値以上残っている場合には比較的短い通知周期(例えば５０ミリ秒)をデフォルト値とする。【００４６】
次に、親局は、このデフォルト値の通知周期で、無線チャネル品質情報の通知を端末に対して周期的に要求する。そして、この要求に応じて端末より通知される制御メッセージに示されている無線チャネル品質の計測結果に基づいて、無線チャネル品質の変動度合いを、前述したものと同様の手法を用いて監視する。【００４７】
ここで、親局は、この監視結果に基づき、端末の電源の残量が所定値以上残っておりしかも無線チャネル品質の変動が小さいと判断される場合には、無線チャネル品質の通知周期をデフォルト値よりも長く(例えば５００ミリ秒)する。こうすることで、無線チャネル品質を通知する制御メッセージの量が削減される上に、端末の電力消費量も削減されるので、端末の使用をより長時間継続することができる。一方、親局は、この監視結果に基づき、端末の電源の残量が所定値よりも少なくなっている上に無線チャネル品質の変動が大きいと判断される場合には、無線チャネル品質の通知周期をデフォルト値よりも短く(例えば１００ミリ秒)する。こうすることにより、無線チャネル品質がより正確に把握できるようになるので通信エラーの増加が抑制されて通信品質が維持される。なお、この場合には端末の電力消費量が却って増加するものの、通信品質を維持して通信を継続させることによって、通信エラーの発生に伴うデータの再送などといった電力を無駄に消費するような動作が抑制されるので、実効的なスループットの向上が期待できる。【００４８】
また、属性情報として、上記の（３）の情報を使用する場合には、以下のようにして無線チャネルの品質管理を行う。
まず、親局は、例えば端末との接続を確立したときに、無線チャネル品質の通知周期のデフォルト値を決定する。ここで、親局に接続される他の端末との通信に対する接続先の端末との通信の優先度が所定の優先度よりも低い場合、若しくは、親局に接続される他のコネクションに対する接続先の端末とのコネクションの優先度が所定の優先度よりも低い場合には、比較的長い通知周期(例えば１秒)をデフォルト値とし、それらの優先度が所定の優先度以上に高い場合には比較的短い通知周期(例えば５０ミリ秒)をデフォルト値とする。【００４９】
次に、親局は、このデフォルト値の通知周期で、無線チャネル品質情報の通知を端末に対して周期的に要求する。そして、この要求に応じて端末より通知される制御メッセージに示されている無線チャネル品質の計測結果に基づいて、無線チャネル品質の変動度合いを、前述したものと同様の手法を用いて監視する。【００５０】
ここで、親局は、この監視結果に基づき、無線チャネル品質の変動が小さいと判断される場合には、端末の通信優先度若しくはコネクションの優先度が高い場合でも低い場合でも無線チャネル品質の通知周期をデフォルト値よりも長く(端末の通信優先度若しくはコネクションの優先度が低い場合には例えば５秒、これらの優先度が高い場合には例えば５００ミリ秒)する。こうすることで、無線チャネル品質を通知する制御メッセージの量が削減される上に、端末の電力消費量も削減されるので、端末の使用をより長時間継続することができる。一方、親局は、この監視結果に基づき、端末の通信優先度若しくはコネクションの優先度が所定の優先度以上に高い場合であってしかも無線チャネル品質の変動が大きいと判断される場合には、無線チャネル品質の通知周期をデフォルト値よりも短く(例えば１０ミリ秒)する。こうすることにより、無線チャネル品質がより正確に把握できるようになるので通信エラーの増加が抑制されて通信品質が維持される。【００５１】
なお、上述したようにして親局が無線チャネルの品質管理を行う代わりに、上述した属性情報に基づく無線チャネル品質管理のための制御情報の通知周期の決定を端末側で行い、その結果に基づいて親局が無線チャネルの品質管理を行う実施例についても後で説明する。【００５２】
まず、図１について説明する。同図は、本発明を実施する通信システムの基本構成を示している。同図に示すように、この通信システムは、送受信部１、監視部２、識別部３、及び制御部４を備えて構成されている。【００５３】
送受信部１は、他の通信装置との間で無線若しくは有線の通信ネットワークを介してユーザデータや制御メッセージの送受信を行う。なお、無線通信ネットワークを介して接続される場合には、送受信部１は、他の通信装置から到来する無線信号の品質の計測も行う。【００５４】
監視部２は、無線チャネル品質の計測結果の通知情報に基づいて、若しくは送受信部１で計測された無線信号の品質の計測結果に基づいて、無線チャネル品質の変動の度合いを監視する。この監視の手法として、ここでは、過去数回の計測結果値に対する移動平均、変化量の絶対値の和、または分散を求める手法のいずれかの手法を用いる。【００５５】
識別部３は、端末と親局との間での通信により蓄積される属性情報、または、端末と親局との間で接続を確立する際などに交換される属性情報に基づいて、端末の属性若しくは親局と端末とのコネクションの属性の識別を行う。【００５６】
制御部４は、監視部２で得た無線チャネル品質の変動度合いと識別部３で得た属性情報とに基づいて、無線チャネル品質の通知周期の決定を、前述したようにして行う。
なお、図１に示した通信システムの各構成要素は、通信ネットワーク上に存在する通信装置のいずれかに備えるように構成することができる。【００５７】
図１に示した通信システムの具体的な構成例を図２Ａ、図２Ｂ、及び図２Ｃに示す。これらの図に例示した通信システムは、いずれも、基地局１０と、１つ以上の基地局１０の動作（端末３０との通信動作）を一括して制御する制御局２０と、基地局１０との間で無線通信により信号の送受信を行う端末３０とを備えて構成されている。なお、基地局１０、制御局２０、及び端末３０は、通信ネットワーク上に存在する通信装置である。【００５８】
ここで、図２Ａに示した構成例は、図１に示した通信システムの各構成要素を、基地局１０に全て備える構成としたものである。
また、図２Ｂに示した構成例は、図１に示した通信システムの各構成要素を、基地局１０と制御局２０とに分けて備える構成としたものである。なお、図２Ｂの構成例では、図１に示した構成要素のうち、送受信部１及び監視部２については基地局１０に備えるように構成し、識別部３及び制御部４については制御局２０に備えるように構成している。この構成では、複数設置される制御局２０に対して１つの制御局２０を対応付けて設置することが可能であり、このように構成することにより、識別部３及び制御部４の集中化を図ることができる。【００５９】
また、図２Ｃに示した構成例は、図１に示した通信システムの各構成要素を、端末３０に全て備える構成としたものである。
なお、図１に示した本発明を実施する通信システムの基本構成に対し、図３に示すように、指示部５を更に備えるように構成することもできる。【００６０】
指示部５は、制御部４により決定した無線チャネル品質の通知周期を、他の通信装置へ指示する。
なお、図３に示した通信システムの各構成要素は、通信ネットワーク上に存在する通信装置のいずれかに備えるように構成することができる。【００６１】
図１に示した通信システムの具体的な構成例を図４Ａ、図４Ｂ、及び図４Ｃに示す。これらの図に例示した通信システムにおいて、基地局１０、制御局２０、及び端末３０は、通信ネットワーク上に存在する通信装置である。【００６２】
図４Ａに示した構成例は、図３に示した通信システムの各構成要素を、基地局１０に全て備える構成としたものである。また、図４Ｂに示した構成例は、図３に示した通信システムの各構成要素を、基地局１０と制御局２０とに分けて備える構成としたものである。更に、図４Ｃに示した構成例は、図３に示した通信システムの各構成要素を、端末３０に全て備える構成としたものである。【００６３】
なお、無線チャネル品質の通知周期が端末３０における制御部４で決定される図４Ｃの場合には、端末３０の指示部５がその通知周期を親局に報告する。この報告を受けた親局は、報告された周期に基づいて端末３０への品質計測要求を行う。一方、図４Ａや図４Ｂの場合には、親局における制御部４で決定した通知周期を指示部５が端末に報告する。この報告を受けた端末は、その報告された周期で品質計測情報を自律的に通知する。【００６４】
次に図５について説明する。同図は、本発明を実施する通信システムで行われる無線チャネル品質通知周期デフォルト値決定処理の処理内容をフローチャートで示したものである。この処理は、図１、図２Ａ〜Ｃ、図３、及び図４Ａ〜Ｃの各図に示した通信システムにおいて、親局と端末との接続が確立されたときに行われる処理である。【００６５】
図５において、まず、Ｓ１０１では、親局との接続を確立した端末に関連付けられている属性情報に基づいて、その端末の属性若しくはその端末との接続におけるコネクションの属性を識別する処理が識別部３によって行われる。【００６６】
Ｓ１０２では、識別部３によって識別された属性に基づき、無線チャネル品質の通知周期のデフォルト値を短周期とするか長周期とするかを判定する処理が制御部４で行われる。そして、この判定結果に基づき、Ｓ１０３若しくはＳ１０４のどちらかに処理を進める。【００６７】
このＳ１０２の処理の具体例を図６Ａ、図６Ｂ、及び図６Ｃに示す。
図６Ａに示したＳ１０２−１の処理は、親局との接続を確立した端末が固定端末であるか移動端末であるかを判定する処理である。ここで、この端末が移動端末であるときにはＳ１０３に処理を進め、固定端末であるときにはＳ１０４に処理を進める。【００６８】
また、図６Ｂに示したＳ１０２−２の処理では、親局との接続を確立した端末の電源の残量が、予め設定されている所定値以上に残っているか否かを判定する処理である。ここで、電源残量が所定値以上であるとき（判定結果がＹｅｓのとき）にはＳ１０３に処理を進め、電源残量が所定値に満たないとき（判定結果がＮｏのとき）にはＳ１０４に処理を進める。【００６９】
また、図６Ｃに示したＳ１０２−３の処理では、優先度（端末の通信優先度若しくはコネクションの優先度）が予め設定されている所定値以上の高さであるか否かを判定する処理である。ここで、優先度が所定値以上の高さであるとき（判定結果がＹｅｓのとき）にはＳ１０３に処理を進め、優先度が所定値よりも低いとき（判定結果がＮｏのとき）にはＳ１０４に処理を進める。【００７０】
図５の説明へ戻る。Ｓ１０３では、無線チャネル品質の通知周期のデフォルト値を短周期に決定する処理が制御部４で行われ、その後はＳ１０５に処理を進める。
Ｓ１０４では、無線チャネル品質の通知周期のデフォルト値を、上述した短周期よりも長い周期である長周期に決定する処理が制御部４で行われ、その後はＳ１０５に処理を進める。【００７１】
Ｓ１０５では、決定されたデフォルト値の通知周期の下で、無線チャネル品質計測処理、すなわち、親局と端末との間に確立した無線チャネルの品質を計測して通知する処理が送受信部１で開始され、その後はこの図５の処理を終了する。【００７２】
次に図７について説明する。同図は、本発明を実施する通信システムで行われる無線チャネル品質通知周期変更処理の処理内容の第一の例をフローチャートで示したものである。この処理は、図１及び図２Ａ〜Ｃの各図に示した通信システムにおいて、上述した無線チャネル品質計測処理の開始と共に開始される処理である。【００７３】
図７において、まず、Ｓ２０１では、無線チャネル品質の計測結果を受信する処理が送受信部１で行われる。なお、図２Ｃに示されているように構成されている通信システムでは、送受信部１自身で計測した無線チャネル品質の計測結果を取得する処理がここで行われる。【００７４】
続くＳ２０２では、送受信部１で受信した計測結果に関連付けられている属性情報に基づいて、その端末の属性若しくはその端末との接続におけるコネクションの属性を識別する処理が識別部３によって行われる。【００７５】
Ｓ２０３では、送受信部１によって得た計測結果に基づいて、無線チャネル品質の変動の度合いを監視する処理が監視部２で行われる。
Ｓ２０４では、識別部３によって識別された属性と監視部２による無線チャネル品質の計測結果の変動の度合いの監視結果とに基づき、無線チャネル品質の通知周期を変更する必要があるか否かを判定する処理が制御部４で行われる。ここで、無線チャネル品質の通知周期を変更する必要があると判定されたときにはＳ２０５に処理を進め、無線チャネル品質の通知周期を変更する処理が制御部４で行われ、その後はこの図７の処理を終了する。一方、無線チャネル品質の通知周期の変更は不要であると判定されたときには、無線チャネル品質の通知周期を変更することなく、このまま図７の処理を終了する。【００７６】
上述したＳ２０４の処理の具体例を図８Ａ、図８Ｂ、及び図８Ｃに示す。
図８Ａに示したＳ２０４−１の処理では、親局との接続を確立した端末が固定端末であって且つ無線チャネル品質の計測結果の変動度合いが所定の閾値以上に大きい場合には、無線チャネル品質の通知周期を変更する必要があると判定してＳ２０５に処理を進める。このときのＳ２０５の処理では、無線チャネル品質の通知周期を変更してデフォルト値よりも短くする。また、この端末が移動端末であって且つ無線チャネル品質の計測結果の変動度合いが所定の閾値よりも小さい場合にも、無線チャネル品質の通知周期を変更する必要があると判定してＳ２０５に処理を進める。但し、このときのＳ２０５の処理では、無線チャネル品質の通知周期を変更してデフォルト値よりも長くする。一方、この他の場合には、無線チャネル品質の通知周期を変更する必要はないと判定し、図７の処理を終了する。【００７７】
また、図８Ｂに示したＳ２０４−２の処理では、親局との接続を確立した端末の電源の残量が、予め設定されている所定値に満たない場合であって且つ無線チャネル品質の計測結果の変動度合いが所定の閾値以上に大きい場合には、無線チャネル品質の通知周期を変更する必要があると判定してＳ２０５に処理を進める。このときのＳ２０５の処理では、無線チャネル品質の通知周期を変更してデフォルト値よりも短くする。また、この端末の電源の残量が、予め設定されている所定値以上残っている場合であって且つ無線チャネル品質の計測結果の変動度合いが所定の閾値よりも小さい場合にも、無線チャネル品質の通知周期を変更する必要があると判定してＳ２０５に処理を進める。但し、このときのＳ２０５の処理では、無線チャネル品質の通知周期を変更してデフォルト値よりも長くする。一方、この他の場合には、無線チャネル品質の通知周期を変更する必要はないと判定し、図７の処理を終了する。【００７８】
また、図８Ｃに示したＳ２０４−３の処理では、優先度（端末の通信優先度若しくはコネクションの優先度）が予め設定されている所定値以上に高い場合であって且つ無線チャネル品質の計測結果の変動度合いが所定の閾値以上に大きい場合には、無線チャネル品質の通知周期を変更する必要があると判定してＳ２０５に処理を進める。このときのＳ２０５の処理では、無線チャネル品質の通知周期を変更してデフォルト値よりも短くする。また、この優先度の高低に拘らず無線チャネル品質の計測結果の変動度合いが所定の閾値よりも小さい場合にも、無線チャネル品質の通知周期を変更する必要があると判定してＳ２０５に処理を進める。但し、このときのＳ２０５の処理では、無線チャネル品質の通知周期を変更してデフォルト値よりも長くする。一方、この他の場合には、無線チャネル品質の通知周期を変更する必要はないと判定し、図７の処理を終了する。【００７９】
次に図９について説明する。同図は、本発明を実施する通信システムで行われる無線チャネル品質通知周期変更処理の処理内容の第二の例をフローチャートで示したものである。この処理は、図３及び図４Ａ〜Ｃの各図に示した通信システムにおいて、上述した無線チャネル品質計測処理の開始と共に開始される処理である。【００８０】
この図９に示した第二の例は、Ｓ２０５の処理が実行された後に続けてＳ２０６の処理が実行される点を除けば、図７に示した第一の例と同様である。このＳ２０６では、Ｓ２０５の処理によって変更された通知周期を他の装置へ指示する処理が指示部５によって行われる。【００８１】
次に、図２Ａ〜Ｃ及び図４Ａ〜Ｃの各図に示した通信システムにおいて、親局（基地局１０及び制御局２０）と端末３０との間の通信による制御メッセージの授受の様子について説明する。【００８２】
まず、図１０Ａ、図１０Ｂ、図１０Ｃ、及び図１０Ｄの各図について説明する。これらの図は、いずれも、親局（基地局１０及び制御局２０）と端末３０との間の制御メッセージの授受の手順の例を示している。また、図１１は、親局と端末３０との間で確立している無線チャネルの品質の変化の様子を示している。なお、この図１１に示されている変化の様子は、図１０Ａ、図１０Ｂ、図１０Ｃ、及び図１０Ｄのいずれの場合にも共通のものである。【００８３】
図１０Ａ、図１０Ｂ、図１０Ｃ、及び図１０Ｄに示した各例においては、いずれも、端末３０が移動端末であるとする。従って、これらの例では、図５に示した無線チャネル品質通知周期デフォルト値決定処理においてＳ１０３の処理が実行され、その結果、無線チャネル品質の通知周期のデフォルト値は短周期に設定されている。【００８４】
図１０Ａは、図２Ａ及び図２Ｂに示した通信システムでの制御メッセージの授受の手順を示している。なお、この通信システムでは、図７に示した無線チャネル品質計測処理の第一の例が実行されている。【００８５】
図１０Ａにおいて、親局と端末３０との接続が確立した後、親局の送受信部１は、デフォルト値である短い通知周期で、無線チャネル品質情報の通知要求を含む制御メッセージを端末３０へ繰り返し送信する。端末３０は、この制御メッセージを受信する度に、無線チャネル品質の計測結果を含む制御メッセージを時刻ｔ１、ｔ２、ｔ３において返信する。【００８６】
送受信部１は、通知要求に応じて端末３０から返信される制御メッセージを受信し、受信した制御メッセージに含まれている無線チャネル品質の計測結果を取得する（図７のＳ２０１）。なお、端末３０が移動端末であることは、受信した制御メッセージに含まれている属性情報を識別部３が識別することで認識される（図７のＳ２０２）。【００８７】
親局の監視部２は、この無線チャネル品質の計測結果を監視している（図７のＳ２０３）。ここで、時刻ｔ１から時刻ｔ３までのものについての監視結果から、無線チャネル品質の変動度合い（図１１における縦軸方向の変動）が所定の閾値よりも小さいことが判明したとする。すると、このことと端末３０が移動端末であることとにより、通知周期の変更が必要との判定が制御部４で下される（図７のＳ２０４の判定結果が「変更要」になる）。制御部４は、この場合には、無線チャネル品質の通知周期をそれまでよりも長い周期へと変更する（図７のＳ２０５）。【００８８】
以降、送受信部１は、変更後の長い通知周期で、無線チャネル品質情報の通知要求を含む制御メッセージを端末３０へ繰り返し送信する。端末３０は、この制御メッセージを受信する度に、無線チャネル品質の計測結果を含む制御メッセージを時刻ｔ４、ｔ５、ｔ６、…において返信するようになる。こうして、端末３０からの無線チャネル品質の親局への通知が変更後の長い通知周期で行われるようになる。【００８９】
図１０Ｂは、図２Ｃに示した通信システムでの制御メッセージの授受の手順を示している。なお、この通信システムでは、図７に示した無線チャネル品質計測処理の第一の例が実行されている。【００９０】
図１０Ｂにおいて、親局と端末３０との接続が確立した後、端末３０の送受信部１は、デフォルト値である短い通知周期で、無線チャネル品質の計測を行ってこの計測結果を繰り返し取得する（図７のＳ２０１）。そして、この計測結果を含む制御メッセージを時刻ｔ１、ｔ２、ｔ３において親局へ送信する。親局は、この制御メッセージを受信することによって無線チャネル品質の計測結果を取得する。なお、この例では、端末３０自身が識別部３を備えているので、端末３０が移動端末であることは、属性情報を識別部３が識別するまでもなく（図７のＳ２０２）、制御部４は認識可能である。【００９１】
一方、端末３０の監視部２は、この無線チャネル品質の計測結果を監視している（図７のＳ２０３）。ここで、時刻ｔ１から時刻ｔ３までのものについての監視結果から、無線チャネル品質の変動度合い（図１１における縦軸方向の変動）が所定の閾値よりも小さいことが判明したとする。すると、このことと端末３０が移動端末であることとにより、通知周期の変更が必要との判定が制御部４で下される（図７のＳ２０４の判定結果が「変更要」になる）。制御部４は、この場合には、無線チャネル品質の通知周期をそれまでよりも長い周期へと変更する（図７のＳ２０５）。【００９２】
以降、送受信部１は、変更後の長い通知周期で、無線チャネル品質の計測を行ってこの計測結果を繰り返し取得し、そして、この計測結果を含む制御メッセージを時刻ｔ４、ｔ５、ｔ６、…において親局へ送信するようになる。こうして、端末３０からの無線チャネル品質の親局への通知が変更後の長い通知周期で行われるようになる。【００９３】
なお、親局は、端末３０から送られてくる無線チャネル品質の計測結果を常時受信可能であるので、図１０Ｂの例では、端末３０が無線チャネル品質の通知周期の変更の指示を親局へ行うことは必須ではない。【００９４】
図１０Ｃは、図４Ａ及び図４Ｂに示した通信システムでの制御メッセージの授受の手順を示している。なお、この通信システムでは、図９に示した無線チャネル品質計測処理の第二の例が実行されている。【００９５】
図１０Ｃにおいて、親局と端末３０との接続が確立した後、端末３０は、デフォルト値である短い通知周期に対応する時刻ｔ１、ｔ２、ｔ３において、無線チャネル品質の計測結果を含む制御メッセージを親局へ送信する。親局は、この制御メッセージを受信することによって無線チャネル品質の計測結果を取得する（図９のＳ２０１）。なお、端末３０が移動端末であることは、受信した制御メッセージに含まれている属性情報を識別部３が識別することで認識される（図９のＳ２０２）。【００９６】
親局の監視部２は、この無線チャネル品質の計測結果を監視している（図９のＳ２０３）。ここで、時刻ｔ１から時刻ｔ３までのものについての監視結果から、無線チャネル品質の変動度合い（図１１における縦軸方向の変動）が所定の閾値よりも小さいことが判明したとする。すると、このことと端末３０が移動端末であることとにより、通知周期の変更が必要との判定が制御部４で下される（図９のＳ２０４の判定結果が「変更要」になる）。制御部４は、この場合には、無線チャネル品質の通知周期をそれまでよりも長い周期へと変更する（図９のＳ２０５）。ここで、指示部５は、この通知周期を含む制御メッセージを生成し、生成した制御メッセージの端末３０への送信を送受信部１に行わせる（図９のＳ２０６）。【００９７】
この制御メッセージを受信した端末３０は、以降、制御メッセージに含まれている変更後の長い通知周期に対応する時刻ｔ４、ｔ５、ｔ６、…において、無線チャネル品質の計測結果を含む制御メッセージを親局へ送信するようになる。こうして、端末３０からの無線チャネル品質の親局への通知が変更後の長い通知周期で行われるようになる。【００９８】
図１０Ｄは、図４Ｃに示した通信システムでの制御メッセージの授受の手順を示している。なお、この通信システムでは、図９に示した無線チャネル品質計測処理の第二の例が実行されている。【００９９】
図１０Ｄにおいて、親局と端末３０との接続が確立した後、親局は、デフォルト値である短い通知周期で、無線チャネル品質情報の通知要求を含む制御メッセージを端末３０へ繰り返し送信する。端末３０の送受信部１は、この制御メッセージを受信する度に、無線チャネル品質の計測を行ってこの計測結果を取得し、この計測結果を含む制御メッセージを時刻ｔ１、ｔ２、ｔ３において親局へ送信する（図９のＳ２０１）。親局は、この制御メッセージを受信することによって無線チャネル品質の計測結果を取得する。なお、この例では、端末３０自身が識別部３を備えているので、端末３０が移動端末であることは、属性情報を識別部３が識別するまでもなく（図９のＳ２０２）、制御部４は認識可能である。【０１００】
一方、端末３０の監視部２は、この無線チャネル品質の計測結果を監視している（図９のＳ２０３）。ここで、時刻ｔ１から時刻ｔ３までのものについての監視結果から、無線チャネル品質の変動度合い（図１１における縦軸方向の変動）が所定の閾値よりも小さいことが判明したとする。すると、このことと端末３０が移動端末であることとにより、通知周期の変更が必要との判定が制御部４で下される（図９のＳ２０４の判定結果が「変更要」になる）。制御部４は、この場合には、無線チャネル品質の通知周期をそれまでよりも長い周期へと変更する（図９のＳ２０５）。ここで、指示部５は、この通知周期を含む制御メッセージを生成し、生成した制御メッセージの親局への送信を送受信部１に行わせる（図９のＳ２０６）。【０１０１】
この制御メッセージを受信した親局は、以降、変更後の長い通知周期で、無線チャネル品質情報の通知要求を含む制御メッセージを端末３０へ繰り返し送信する。端末３０の送受信部１は、この制御メッセージを受信する度に、無線チャネル品質の計測を行ってこの計測結果を取得し、この計測結果を含む制御メッセージを時刻ｔ４、ｔ５、ｔ６、…において親局へ送信するようになる。こうして、端末３０からの無線チャネル品質の親局への通知が変更後の長い通知周期で行われるようになる。【０１０２】
次に、図１２Ａ、図１２Ｂ、図１２Ｃ、及び図１２Ｄの各図について説明する。これらの図も、親局（基地局１０及び制御局２０）と端末３０との間の制御メッセージの授受の手順の例を示している。また、図１３は、親局と端末３０との間で確立している無線チャネルの品質の変化の様子を示している。なお、この図１３に示されている変化の様子は、図１２Ａ、図１２Ｂ、図１２Ｃ、及び図１２Ｄのいずれの場合にも共通のものである。【０１０３】
図１２Ａ、図１２Ｂ、図１２Ｃ、及び図１２Ｄの各例においては、いずれも、親局と端末３０との間で、優先度が所定の優先度以上に高いＱｏＳクラスのコネクションが確立されているものとする。これらの例では、図５に示した無線チャネル品質通知周期デフォルト値決定処理においてＳ１０３の処理が実行され、その結果、無線チャネル品質の通知周期のデフォルト値は短周期に設定されている。【０１０４】
図１２Ａは、図２Ａ及び図２Ｂに示した通信システムでの制御メッセージの授受の手順を示している。なお、この通信システムでは、図７に示した無線チャネル品質計測処理の第一の例が実行されている。【０１０５】
図１２Ａにおいて、親局と端末３０との接続が確立した後、親局の送受信部１は、デフォルト値である長い通知周期で、無線チャネル品質情報の通知要求を含む制御メッセージを端末３０へ繰り返し送信する。端末３０は、この制御メッセージを受信する度に、無線チャネル品質の計測結果を含む制御メッセージを時刻ｔ１、ｔ２、ｔ３において返信する。【０１０６】
送受信部１は、通知要求に応じて端末３０から返信される制御メッセージを受信し、受信した制御メッセージに含まれている無線チャネル品質の計測結果を取得する（図７のＳ２０１）。また、このとき、識別部３は、受信した制御メッセージに含まれている属性情報（ここではＱｏＳクラス）を識別して、端末３０との間で確立されているコネクションの優先度の認定を行う（図７のＳ２０２）。【０１０７】
親局の監視部２は、無線チャネル品質の計測結果を監視している（図７のＳ２０３）。ここで、時刻ｔ１から時刻ｔ３までのものについての監視結果から、無線チャネル品質の変動度合い（図１３における縦軸方向の変動）が所定の閾値以上に大きいことが制御部４で判明したとする。また、このとき、優先度の高低比較により、端末３０との間で確立されているコネクションの優先度が所定の優先度以上に高いことも制御部４で判明する。すると、これらの結果から、通知周期の変更が必要との判定が制御部４で下される（図７のＳ２０４の判定結果が「変更要」になる）。制御部４は、この場合には、無線チャネル品質の通知周期をそれまでよりもさらに短い周期へと変更する（図７のＳ２０５）。【０１０８】
以降、送受信部１は、変更後の短い通知周期で、無線チャネル品質情報の通知要求を含む制御メッセージを端末３０へ繰り返し送信する。端末３０は、この制御メッセージを受信する度に、無線チャネル品質の計測結果を含む制御メッセージを時刻ｔ４、ｔ５、ｔ６、…において返信するようになる。こうして、端末３０からの無線チャネル品質の親局への通知が変更後の短い通知周期で行われるようになる。【０１０９】
図１２Ｂは、図２Ｃに示した通信システムでの制御メッセージの授受の手順を示している。なお、この通信システムでは、図７に示した無線チャネル品質計測処理の第一の例が実行されている。【０１１０】
図１２Ｂにおいて、親局と端末３０との接続が確立した後、端末３０の送受信部１は、デフォルト値である長い通知周期で、無線チャネル品質の計測を行ってこの計測結果を繰り返し取得する（図７のＳ２０１）。そして、この計測結果を含む制御メッセージを時刻ｔ１、ｔ２、ｔ３において親局へ送信する。親局は、この制御メッセージを受信することによって無線チャネル品質の計測結果を取得する。また、このとき、端末３０の識別部３は、制御メッセージに含まれている属性情報（ここではＱｏＳクラス）を識別して、親局との間で確立されているコネクションの優先度の認定を行う（図７のＳ２０２）。【０１１１】
一方、端末３０の監視部２は、無線チャネル品質の計測結果を監視している（図７のＳ２０３）。ここで、時刻ｔ１から時刻ｔ３までのものについての監視結果から、無線チャネル品質の変動度合い（図１３における縦軸方向の変動）が所定の閾値以上に大きいことが判明したとする。また、このとき、優先度の高低比較により、端末３０との間で確立されているコネクションの優先度が所定の優先度以上に高いことも制御部４で判明する。すると、これらの結果から、通知周期の変更が必要との判定が制御部４で下される（図７のＳ２０４の判定結果が「変更要」になる）。制御部４は、この場合には、無線チャネル品質の通知周期をそれまでよりもさらに短い周期へと変更する（図７のＳ２０５）。【０１１２】
以降、送受信部１は、変更後の短い通知周期で、無線チャネル品質の計測を行ってこの計測結果を繰り返し取得し、そして、この計測結果を含む制御メッセージを時刻ｔ４、ｔ５、ｔ６、…において親局へ送信するようになる。こうして、端末３０からの無線チャネル品質の親局への通知が変更後の短い通知周期で行われるようになる。【０１１３】
なお、親局は、端末３０から送られてくる無線チャネル品質の計測結果を常時受信可能であるので、図１２Ｂの例では、端末３０が無線チャネル品質の通知周期の変更の指示を親局へ行うことは必須ではない。【０１１４】
図１２Ｃは、図４Ａ及び図４Ｂに示した通信システムでの制御メッセージの授受の手順を示している。なお、この通信システムでは、図９に示した無線チャネル品質計測処理の第二の例が実行されている。【０１１５】
図１２Ｃにおいて、親局と端末３０との接続が確立した後、端末３０は、デフォルト値である長い通知周期に対応する時刻ｔ１、ｔ２、ｔ３において、無線チャネル品質の計測結果を含む制御メッセージを親局へ送信する。親局は、この制御メッセージを受信することによって無線チャネル品質の計測結果を取得する（図９のＳ２０１）。また、このとき、識別部３は、制御メッセージに含まれている属性情報（ここではＱｏＳクラス）を識別して、親局との間で確立されているコネクションの優先度の認定を行う（図９のＳ２０２）。【０１１６】
親局の監視部２は、無線チャネル品質の計測結果を監視している（図９のＳ２０３）。ここで、時刻ｔ１から時刻ｔ３までのものについての監視結果から、無線チャネル品質の変動度合い（図１３における縦軸方向の変動）が所定の閾値以上に大きいことが判明したとする。また、このとき、優先度の高低比較により、端末３０との間で確立されているコネクションの優先度が所定の優先度以上に高いことも制御部４で判明する。すると、これらの結果から、通知周期の変更が必要との判定が制御部４で下される（図９のＳ２０４の判定結果が「変更要」になる）。制御部４は、この場合には、無線チャネル品質の通知周期をそれまでよりもさらに短い周期へと変更する（図９のＳ２０５）。ここで、指示部５は、この通知周期を含む制御メッセージを生成し、生成した制御メッセージの端末３０への送信を送受信部１に行わせる（図９のＳ２０６）。【０１１７】
この制御メッセージを受信した端末３０は、以降、制御メッセージに含まれている変更後の短い通知周期に対応する時刻ｔ４、ｔ５、ｔ６、…において、無線チャネル品質の計測結果を含む制御メッセージを親局へ送信するようになる。こうして、端末３０からの無線チャネル品質の親局への通知が変更後の短い通知周期で行われるようになる。【０１１８】
図１２Ｄは、図４Ｃに示した通信システムでの制御メッセージの授受の手順を示している。なお、この通信システムでは、図９に示した無線チャネル品質計測処理の第二の例が実行されている。【０１１９】
図１２Ｄにおいて、親局と端末３０との接続が確立した後、親局は、デフォルト値である長い通知周期で、無線チャネル品質情報の通知要求を含む制御メッセージを端末３０へ繰り返し送信する。端末３０の送受信部１は、この制御メッセージを受信する度に、無線チャネル品質の計測を行ってこの計測結果を取得し、この計測結果を含む制御メッセージを時刻ｔ１、ｔ２、ｔ３において親局へ送信する（図９のＳ２０１）。親局は、この制御メッセージを受信することによって無線チャネル品質の計測結果を取得する。また、このとき、端末３０の識別部３は、制御メッセージに含まれている属性情報（ここではＱｏＳクラス）を識別して、親局との間で確立されているコネクションの優先度の認定を行う（図９のＳ２０２）。【０１２０】
一方、端末３０の監視部２は、この無線チャネル品質の計測結果を監視している（図９のＳ２０３）。ここで、時刻ｔ１から時刻ｔ３までのものについての監視結果から、無線チャネル品質の変動度合い（図１３における縦軸方向の変動）が所定の閾値以上に大きいことが判明したとする。また、このとき、優先度の高低比較により、端末３０との間で確立されているコネクションの優先度が所定の優先度以上に高いことも制御部４で判明する。すると、これらの結果から、通知周期の変更が必要との判定が制御部４で下される（図９のＳ２０４の判定結果が「変更要」になる）。制御部４は、この場合には、無線チャネル品質の通知周期をそれまでよりもさらに短い周期へと変更する（図９のＳ２０５）。ここで、指示部５は、この通知周期を含む制御メッセージを生成し、生成した制御メッセージの親局への送信を送受信部１に行わせる（図９のＳ２０６）。【０１２１】
この制御メッセージを受信した親局は、以降、変更後の短い通知周期で、無線チャネル品質情報の通知要求を含む制御メッセージを端末３０へ繰り返し送信する。端末３０の送受信部１は、この制御メッセージを受信する度に、無線チャネル品質の計測を行ってこの計測結果を取得し、この計測結果を含む制御メッセージを時刻ｔ４、ｔ５、ｔ６、…において親局へ送信するようになる。こうして、端末３０からの無線チャネル品質の親局への通知が変更後の短い通知周期で行われるようになる。【０１２２】
次に、図２Ａ〜Ｃ及び図４Ａ〜Ｃの各図に示した通信システムが前述したＷｉＭＡＸを採用している場合に、ＷｉＭＡＸで規定されている制御メッセージを利用して本発明に係る無線チャネル品質の管理を行う実施例について説明する。【０１２３】
図１４Ａ、図１４Ｂ、図１４Ｃ、及び図１４Ｄの各図について説明する。これらの図は、ＷｉＭＡＸを採用して無線通信を行っている親局（基地局１０及び制御局２０）と端末３０との間での制御メッセージの授受の手順の例を示している。【０１２４】
図１４Ａ、図１４Ｂ、図１４Ｃ、及び図１４Ｄに示した各例においては、いずれも、端末３０が移動端末であるとする。従って、これらの例では、図５に示した無線チャネル品質通知周期デフォルト値決定処理においてＳ１０３の処理が実行され、その結果、無線チャネル品質の通知周期のデフォルト値は短周期に設定されている。【０１２５】
図１４Ａは、図２Ａ及び図２Ｂに示した通信システムでの制御メッセージの授受の手順を示している。なお、この通信システムでは、図７に示した無線チャネル品質計測処理の第一の例が実行されている。【０１２６】
図１４Ａにおいて、親局と端末３０との接続が確立した後、親局の送受信部１は、デフォルト値である短い通知周期で、ＲＥＰ−ＲＥＱ（Report request）メッセージを端末３０へ繰り返し送信する。ＲＥＰ−ＲＥＱメッセージとは、例えばＣＱＩ（Channel Quality Indicator ：チャネル品質識別子）やＲＳＳＩ（Received Signal Strength Indicator：受信信号強度）などといった、親局と端末３０との間で確立した無線チャネルの品質を表す情報の通知要求を行うための制御メッセージである。端末３０は、このＲＥＰ−ＲＥＱメッセージを受信する度に、ＲＥＰ−ＲＥＳ（Report Response）メッセージを返信する。ＲＥＰ−ＲＥＳメッセージはＲＥＰ−ＲＥＱメッセージに対する応答の制御メッセージであって、前述したＣＱＩやＲＳＳＩの他、例えばＣＩＮＲ（Carrier to Interference and Noise Ratio ：搬送波対干渉及び雑音電力比）などといった、端末３０で計測された無線チャネル品質を表す情報や、端末３０の属性情報（ここでは端末３０が移動端末であることを示す情報）を含むものである。【０１２７】
送受信部１は、ＲＥＰ−ＲＥＱメッセージに応じて端末３０から返信されるＲＥＰ−ＲＥＳメッセージを受信し、受信したＲＥＰ−ＲＥＳメッセージに含まれている無線チャネル品質の計測結果情報を取得する（図７のＳ２０１）。なお、端末３０が移動端末であることは、受信したＲＥＰ−ＲＥＳメッセージに含まれている属性情報を識別部３が識別することで認識される（図７のＳ２０２）。【０１２８】
親局の監視部２は、この無線チャネル品質の計測結果を監視している（図７のＳ２０３）。ここで、その時点までの監視結果から、無線チャネル品質の変動度合いが所定の閾値よりも小さいことが判明したとする。すると、このことと端末３０が移動端末であることとにより、通知周期の変更が必要との判定が制御部４で下される（図７のＳ２０４の判定結果が「変更要」になる）。制御部４は、この場合には、無線チャネル品質の通知周期をそれまでよりも長い周期へと変更する（図７のＳ２０５）。【０１２９】
以降、送受信部１は、変更後の長い通知周期で、ＲＥＰ−ＲＥＱメッセージを端末３０へ繰り返し送信する。すると、端末３０は、このＲＥＰ−ＲＥＱメッセージを受信する度に、ＲＥＰ−ＲＥＳメッセージを返信するようになる。こうして、端末３０からの無線チャネル品質の親局への通知（すなわち端末３０からのＲＥＰ−ＲＥＳメッセージの送信）が変更後の長い通知周期で行われるようになる。【０１３０】
図１４Ｂは、図２Ｃに示した通信システムでの制御メッセージの授受の手順を示している。なお、この通信システムでは、図７に示した無線チャネル品質計測処理の第一の例が実行されている。【０１３１】
図１４Ｂにおいて、親局と端末３０との接続が確立すると、親局は、ＣＱＩＣＨ＿Ａｌｌｏｃａｔｉｏｎ＿ＵＬ−ＭＡＰ＿ＩＥ（Information Element）メッセージを端末３０へ送信する。このメッセージは、端末３０から親局へＣＱＩ情報を通知する無線チャネル（ＣＱＩＣＨ）を確立する制御メッセージである。この制御メッセージには、Ｐｅｒｉｏｄ（ＣＱＩ情報の通知間隔）、Ｆｒａｍｅ＿Ｏｆｆｓｅｔ（メッセージ受信後に最初にＣＱＩ情報の通知を行うまでのオフセット時間）、Ｄｕｒａｔｉｏｎ（ＣＱＩ情報の通知を行うことが許される期間）などの各情報が含まれている。従って、このときのＰｅｒｉｏｄ情報は、デフォルト値である短い通知周期を示している。【０１３２】
ＷｉＭＡＸでは、端末３０から親局への上り通信路に、複数のサブチャネル及び複数のスロットでサブフレームが構成される。ＣＱＩＣＨ＿Ａｌｌｏｃａｔｉｏｎ＿ＵＬ−ＭＡＰ＿ＩＥメッセージにより、端末３０から親局へのＣＱＩ情報の通知のために親局がこのサブフレーム上に割り当てたデータ伝送路（すなわちＣＱＩＣＨ）が特定される。【０１３３】
なお、ＵＬ−ＭＡＰ（Uplink Map）とは、このサブフレームにおける端末毎且つデータ種別毎のデータ伝送路の割り当てを示したマップ情報のことである。前述した属性情報（ここでは端末３０が移動端末であることを示す情報）は、例えば、このサブフレームにおける別のデータ伝送路が割り当てられて親局へ伝えられる。【０１３４】
ＣＱＩＣＨ＿Ａｌｌｏｃａｔｉｏｎ＿ＵＬ−ＭＡＰ＿ＩＥメッセージを受信した端末３０の送受信部１は、デフォルト値である短い通知周期で、無線チャネル品質の計測（ここではＣＱＩの計測）を行ってこの計測結果を繰り返し取得する（図７のＳ２０１）。そして、そのメッセージを受信してからそのメッセージに含まれていたＦｒａｍｅ＿Ｏｆｆｓｅｔ情報の時間が経過した後に、そのメッセージで特定される無線チャネル（すなわちＣＱＩＣＨ）を用いて計測結果（ＣＱＩ情報）を親局へ送信して繰り返し通知する。なお、この通知は、そのメッセージに含まれていたＰｅｒｉｏｄ情報に従った時間間隔で行われる。【０１３５】
なお、この例では、端末３０自身が識別部３を備えているので、端末３０が移動端末であることは、属性情報を識別部３が識別するまでもなく（図７のＳ２０２）、制御部４は認識可能である。【０１３６】
一方、端末３０の監視部２は、この無線チャネル品質の計測結果を監視している（図７のＳ２０３）。ここで、その時点までの監視結果から、無線チャネル品質の変動度合いが所定の閾値よりも小さいことが判明したとする。すると、このことと端末３０が移動端末であることとにより、通知周期の変更が必要との判定が制御部４で下される（図７のＳ２０４の判定結果が「変更要」になる）。制御部４は、この場合には、無線チャネル品質の通知周期をそれまでよりも長い周期へと変更する（図７のＳ２０５）。そして、前述したＰｅｒｉｏｄ情報の変更要求を示す制御メッセージの送信を送受信部１に行わせる。なお、この制御メッセージは、ＷｉＭＡＸでは規定されていない本実施例独自のものである。【０１３７】
この制御メッセージを受信した親局は、その制御メッセージに含まれている時間間隔に変更したＰｅｒｉｏｄ情報を含むＣＱＩＣＨ＿Ａｌｌｏｃａｔｉｏｎ＿ＵＬ−ＭＡＰ＿ＩＥメッセージを端末３０へ送信する。このメッセージを受信した端末３０の送受信部１は、変更後の長い通知周期で、無線チャネル品質の計測（ここではＣＱＩの計測）を行ってこの計測結果を繰り返し取得する。そして、そのメッセージを受信してからそのメッセージに含まれていたＦｒａｍｅ＿Ｏｆｆｓｅｔ情報の時間が経過した後に、そのメッセージで特定される無線チャネル（すなわちＣＱＩＣＨ）を用いて計測結果（ＣＱＩ情報）を親局へ送信して繰り返し通知する。この通知は、そのメッセージに含まれていたｐｅｒｉｏｄ情報に従った変更後の長い時間間隔で行われる。こうして、端末３０からの無線チャネル品質の親局への通知が変更後の長い通知周期で行われるようになる。【０１３８】
図１４Ｃは、図４Ａ及び図４Ｂに示した通信システムでの制御メッセージの授受の手順を示している。なお、この通信システムでは、図９に示した無線チャネル品質計測処理の第二の例が実行されている。【０１３９】
図１４Ｃにおいて、親局と端末３０との接続が確立すると、親局の送受信部１は、ＣＱＩＣＨ＿Ａｌｌｏｃａｔｉｏｎ＿ＵＬ−ＭＡＰ＿ＩＥメッセージを端末３０へ送信する。このときにこの制御メッセージに含まれているＰｅｒｉｏｄ情報は、デフォルト値である短い通知周期を示している。【０１４０】
ＣＱＩＣＨ＿Ａｌｌｏｃａｔｉｏｎ＿ＵＬ−ＭＡＰ＿ＩＥメッセージを受信した端末３０は、このメッセージに含まれているＰｅｒｉｏｄ情報に従い、デフォルト値である短い通知周期で、無線チャネル品質の計測（ここではＣＱＩの計測）を行ってこの計測結果を繰り返し取得する。そして、そのメッセージを受信してからそのメッセージに含まれていたＦｒａｍｅ＿Ｏｆｆｓｅｔ情報の時間が経過した後に、そのメッセージで特定されるＣＱＩＣＨを用いて計測結果（ＣＱＩ情報）を親局へ送信して繰り返し通知する。なお、この通知は、そのメッセージに含まれていたＰｅｒｉｏｄ情報に従った短い時間間隔で行われる。【０１４１】
親局の送受信部１は、このＣＱＩ情報の通知を受信することによって無線チャネル品質の計測結果を取得する（図９のＳ２０１）。更に、親局の識別部３は、上り通信路におけるＣＱＩＣＨとは別のデータ伝送路を用いて端末３０から送られてくる前述した属性情報（ここでは端末３０が移動端末であることを示す情報）を識別して、端末３０が移動端末であることを認識する（図９のＳ２０２）。【０１４２】
一方、親局の監視部２は、この無線チャネル品質の計測結果を監視している（図９のＳ２０３）。ここで、その時点までの監視結果から、無線チャネル品質の変動度合いが所定の閾値よりも小さいことが判明したとする。すると、このことと端末３０が移動端末であることとにより、通知周期の変更が必要との判定が制御部４で下される（図９のＳ２０４の判定結果が「変更要」になる）。制御部４は、この場合には、無線チャネル品質の通知周期をそれまでよりも長い周期へと変更する（図９のＳ２０５）。そして、前述したＰｅｒｉｏｄ情報を長い時間間隔を示すものと変更したＣＱＩＣＨ＿Ａｌｌｏｃａｔｉｏｎ＿ＵＬ−ＭＡＰ＿ＩＥメッセージの端末３０への送信を送受信部１に行わせる（図９のＳ２０６）。【０１４３】
このメッセージを受信した端末３０は、以降、変更後の長い通知周期で、無線チャネル品質の計測（ここではＣＱＩの計測）を行ってこの計測結果を繰り返し取得する。そして、そのメッセージを受信してからそのメッセージに含まれていたＦｒａｍｅ＿Ｏｆｆｓｅｔ情報の時間が経過した後に、そのメッセージで特定されるＣＱＩＣＨを用いて計測結果（ＣＱＩ情報）を親局へ送信して繰り返し通知する。この通知は、そのメッセージに含まれていたＰｅｒｉｏｄ情報に従った変更後の長い時間間隔で行われる。こうして、端末３０からの無線チャネル品質の親局への通知が変更後の長い通知周期で行われるようになる。【０１４４】
図１４Ｄは、図４Ｃに示した通信システムでの制御メッセージの授受の手順を示している。なお、この通信システムでは、図９に示した無線チャネル品質計測処理の第二の例が実行されている。【０１４５】
図１４Ｄにおいて、親局と端末３０との接続が確立した後、親局は、デフォルト値である短い通知周期で、前述したＲＥＰ−ＲＥＱメッセージを端末３０へ繰り返し送信する。端末３０の受信部１は、このＲＥＰ−ＲＥＱメッセージを受信する度に、ＣＩＮＲ等の無線チャネル品質の計測を行ってこの計測結果を取得し、この計測結果を含むＲＥＰ−ＲＥＳメッセージを返信する（図９のＳ２０１）。【０１４６】
親局は、端末３０から返信されるＲＥＰ−ＲＥＳメッセージを受信し、受信したＲＥＰ−ＲＥＳメッセージに含まれている無線チャネル品質の計測結果情報を取得する（図９のＳ２０１）。なお、この例では、端末３０自身が識別部３を備えているので、端末３０が移動端末であることは、属性情報を識別部３が識別するまでもなく（図９のＳ２０２）、制御部４は認識可能である。【０１４７】
一方、端末３０の監視部２は、この無線チャネル品質の計測結果を監視している（図９のＳ２０３）。ここで、その時点までの監視結果から、無線チャネル品質の変動度合いが所定の閾値よりも小さいことが判明したとする。すると、このことと端末３０が移動端末であることとにより、通知周期の変更が必要との判定が制御部４で下される（図９のＳ２０４の判定結果が「変更要」になる）。制御部４は、この場合には、無線チャネル品質の通知周期をそれまでよりも長い周期へと変更する（図９のＳ２０５）。そして、ＲＥＰ−ＲＥＱメッセージの通知周期の変更要求を示す制御メッセージの送信を送受信部１に行わせる（図９のＳ２０６）。なお、この制御メッセージは、ＷｉＭＡＸでは規定されていない本実施例独自のものである。【０１４８】
この制御メッセージを受信した親局は、以降、その制御メッセージに含まれている変更後の長い通知周期で、ＲＥＰ−ＲＥＱメッセージを端末３０へ繰り返し送信する。すると、端末３０の送受信部１は、このＲＥＰ−ＲＥＱメッセージを受信する度に、ＣＩＮＲ等の無線チャネル品質の計測を行ってこの計測結果を取得し、この計測結果を含むＲＥＰ−ＲＥＳメッセージを返信するようになる。こうして、端末３０からの無線チャネル品質の親局への通知（すなわち端末３０からのＲＥＰ−ＲＥＳメッセージの送信）が変更後の長い通知周期で行われるようになる。【０１４９】
次に、ＷｉＭＡＸにおけるＰｅｒｉｏｄｉｃ＿Ｒａｎｇｉｎｇメッセージシーケンスを利用して本発明に係る無線チャネル品質の管理を行う実施例について説明する。
まず、Ｐｅｒｉｏｄｉｃ＿Ｒａｎｇｉｎｇメッセージシーケンスについて、図１５を用いて説明する。このシーケンスは、端末３０の動作を親局の動作に同期させるために所定の時間間隔で周期的に行われる、一連の制御メッセージの交換手順のことである。【０１５０】
図１５では、この一連の制御メッセージを「１セット」と表示している。この１セット分の制御メッセージの交換手順を説明する。
まず、端末３０は、親局への上り通信路におけるコンテンション通信用のデータ伝送路を用い、Ｐｅｒｉｏｄｉｃ＿Ｒａｎｇｉｎｇ＿Ｃｏｄｅを親局へ送信する。このコードは、レンジングを行う端末３０を識別するものである。【０１５１】
親局は、端末３０から送られてくるＲａｎｇｉｎｇ＿Ｒｅｑｕｅｓｔを含む信号の受信電力と、この信号の受信タイミングとを測定する。そして、親局と端末３０との間で確立した無線チャネルの品質を表すこれらの値の測定が完了すると、親局が端末３０に対して要求するこの受信電力及び測定タイミングの要求値とこの測定結果とのずれを補償するための制御情報が含まれているＲａｎｇｉｎｇ＿Ｒｅｓｐｏｎｓｅを端末３０へ送信する。【０１５２】
このＲａｎｇｉｎｇ＿Ｒｅｓｐｏｎｓｅを受信した端末３０は、そこに含まれている上述の制御情報に従って、自身の送信電力及び送信タイミングの調整を行う。
次に親局は、端末３０へＵＬ−ＭＡＰを端末３０へ送信する。ＵＬ−ＭＡＰを受信した端末３０は、このＵＬ−ＭＡＰで指定されているデータ伝送路を用いてＲａｎｇｉｎｇ＿Ｒｅｑｕｅｓｔを親局へ直ちに送信する。このＲａｎｇｉｎｇ＿Ｒｅｑｕｅｓｔには、端末３０のＭＡＣアドレスなどの情報が含まれ、親局へ通知される。親局はこれに対する応答としてＲａｎｇｉｎｇ Ｒｅｓｐｏｎｓｅを端末３０へ送信する。【０１５３】
こうして、端末３０の動作と親局の動作との同期が維持される。
図１６Ａ及び図１６Ｂについて説明する。これらの図は、ＷｉＭＡＸを採用して無線通信を行っている親局（基地局１０及び制御局２０）と端末３０との間でのＰｅｒｉｏｄｉｃ＿Ｒａｎｇｉｎｇメッセージシーケンスの進行の様子を示している。なお、これらの図における「１セット」の表示は、図１５に示した１セット分の制御メッセージの交換手順を省略して示している。【０１５４】
なお、図１６Ａ及び図１６Ｂに示した例においては、端末３０が移動端末であるとする。従って、これらの例では、図５に示した無線チャネル品質通知周期デフォルト値決定処理においてＳ１０３の処理が実行され、その結果、無線チャネル品質の通知周期（ここでは、Ｐｅｒｉｏｄｉｃ＿Ｒａｎｇｉｎｇメッセージシーケンスの実行周期）のデフォルト値は短周期に設定されている。【０１５５】
図１６Ａは、図２Ｃに示した通信システムでのＰｅｒｉｏｄｉｃ＿Ｒａｎｇｉｎｇメッセージシーケンスの進行の様子を示している。なお、この通信システムでは、図７に示した無線チャネル品質計測処理の第一の例が実行されている。【０１５６】
図１６Ａにおいて、端末３０の送受信部１は、デフォルト値である短い周期で、Ｐｅｒｉｏｄｉｃ＿Ｒａｎｇｉｎｇメッセージシーケンスを繰り返して前述した制御情報を受信する（図７のＳ２０１）。なお、この例では、端末３０自身が識別部３を備えているので、端末３０が移動端末であることは、属性情報を識別部３が識別するまでもなく（図７のＳ２０２）、制御部４は認識可能である。【０１５７】
一方、端末３０の監視部２は、この無線チャネル品質の計測結果を監視している（図７のＳ２０３）。ここで、その時点までの監視結果から、無線チャネル品質（ここでは、制御情報で示されている、受信電力及び測定タイミングの要求値とそれらの測定結果とのずれの補償のための制御量）の変動度合いが所定の閾値よりも小さいことが判明したとする。すると、このことと端末３０が移動端末であることとにより、Ｐｅｒｉｏｄｉｃ＿Ｒａｎｇｉｎｇメッセージシーケンスの実行周期の変更が必要との判定が制御部４で下される（図７のＳ２０４の判定結果が「変更要」になる）。制御部４は、この場合には、この実行周期をそれまでよりも長い周期へと変更する（図７のＳ２０５）。【０１５８】
以降、送受信部１は、変更後の長い実行周期で、Ｐｅｒｉｏｄｉｃ＿Ｒａｎｇｉｎｇメッセージシーケンスを繰り返す。こうして、親局から端末３０への無線チャネル品質の通知が変更後の長い通知周期で行われるようになる。【０１５９】
図１６Ｂは、図４Ａ及び図４Ｂに示した通信システムでのＰｅｒｉｏｄｉｃ＿Ｒａｎｇｉｎｇメッセージシーケンスの進行の様子を示している。なお、この通信システムでは、図９に示した無線チャネル品質計測処理の第二の例が実行されている。【０１６０】
図１６Ｂにおいて、端末３０は、デフォルト値である長い周期で、Ｐｅｒｉｏｄｉｃ＿Ｒａｎｇｉｎｇメッセージシーケンスを繰り返して前述した制御情報を受信する。親局は、このシーケンスを繰り返す度に、端末３０から送られてくるＲａｎｇｉｎｇ＿Ｒｅｑｕｅｓｔを含む信号の受信電力と、この信号の受信タイミングとを測定することによって、無線チャネル品質の計測結果を取得する（図９のＳ２０１）。また、このとき、識別部３は、ＵＬ−ＭＡＰで指定されている他のデータ伝送路を用いて端末３０から送られてきた属性情報を識別して、端末３０が移動端末であることを認識する。（図９のＳ２０２）。【０１６１】
一方、親局の監視部２は、上述した無線チャネル品質の計測結果を監視している（図９のＳ２０３）。ここで、その時点までの監視結果から、無線チャネル品質（ここでは上述した受信電力や受信タイミング）の変動度合いが所定の閾値よりも小さいことが判明したとする。すると、このことと端末３０が移動端末であることとにより、Ｐｅｒｉｏｄｉｃ＿Ｒａｎｇｉｎｇメッセージシーケンスの実行周期の変更が必要との判定が制御部４で下される（図９のＳ２０４の判定結果が「変更要」になる）。制御部４は、この場合には、この実行周期をそれまでよりも長い周期へと変更する（図９のＳ２０５）。ここで、指示部５は、この変更後の実行周期を含む制御メッセージを生成し、生成した制御メッセージの端末３０への送信を送受信部１に行わせる（図９のＳ２０６）。なお、この制御メッセージは、ＷｉＭＡＸでは規定されていない本実施例独自のものである。【０１６２】
この制御メッセージを受信した端末３０は、以降、制御メッセージに含まれている変更後の長い実行周期で、Ｐｅｒｉｏｄｉｃ＿Ｒａｎｇｉｎｇメッセージシーケンスを繰り返す。こうして、親局から端末３０への無線チャネル品質の通知が変更後の長い通知周期で行われるようになる。【０１６３】
以上、本発明の実施形態を説明したが、本発明は、上述した実施形態に限定されることなく、本発明の要旨を逸脱しない範囲内で種々の改良・変更が可能である。
【図１】
2008026256.tif 000003
【図２Ａ】
2008026256.tif 000004
【図２Ｂ】
2008026256.tif 000005
【図２Ｃ】
2008026256.tif 000006
【図３】
2008026256.tif 000007
【図４Ａ】
2008026256.tif 000008
【図４Ｂ】
2008026256.tif 000009
【図４Ｃ】
2008026256.tif 000010
【図５】
2008026256.tif 000011
【図６Ａ】
2008026256.tif 000012
【図６Ｂ】
2008026256.tif 000013
【図６Ｃ】
2008026256.tif 000014
【図７】
2008026256.tif 000015
【図８Ａ】
2008026256.tif 000016
【図８Ｂ】
2008026256.tif 000017
【図８Ｃ】
2008026256.tif 000018
【図９】
2008026256.tif 000019
【図１０Ａ】
2008026256.tif 000020
【図１０Ｂ】
2008026256.tif 000021
【図１０Ｃ】
2008026256.tif 000022
【図１０Ｄ】
2008026256.tif 000023
【図１１】
2008026256.tif 000024
【図１２Ａ】
2008026256.tif 000025
【図１２Ｂ】
2008026256.tif 000026
【図１２Ｃ】
2008026256.tif 000027
【図１２Ｄ】
2008026256.tif 000028
【図１３】
2008026256.tif 000029
【図１４Ａ】
2008026256.tif 000030
【図１４Ｂ】
2008026256.tif 000031
【図１４Ｃ】
2008026256.tif 000032
【図１４Ｄ】
2008026256.tif 000033
【図１５】
2008026256.tif 000034
【図１６Ａ】
2008026256.tif 000035
【図１６Ｂ】
2008026256.tif 000036
【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
親局装置と端末装置との間で無線通信を行う無線通信システムにおける親局装置であって、
前記端末装置の属性若しくは該端末装置との通信において指定されているコネクションの属性を示す属性情報の識別を行う識別部と、
前記端末装置との間に確立された無線チャネルの品質管理のために該端末装置へ周期的に通知している管理情報の通知周期を、前記属性情報の識別結果に基づいて決定する制御を行う制御部と、
を有することを特徴とする親局装置。
【請求項２】
前記無線チャネルの品質を監視する監視部を更に有し、
前記制御部は、更に前記無線チャネルの品質の監視結果に基づいて前記通知周期を決定する制御を行う、
ことを特徴とする請求項１に記載の親局装置。
【請求項３】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記端末装置から送られてくるものを、該無線チャネルの品質として監視することを特徴とする請求項２に記載の親局装置。
【請求項４】
前記監視部は、前記無線チャネルのＣＱＩ（チャネル品質識別子）、該無線チャネルを確立している通信相手方から送られてくる信号のＲＳＳＩ（受信信号強度）、該信号の受信タイミング精度、及び該信号の受信電力のうちの少なくともいずれか１つ以上であって前記親局装置で測定されたものを、該無線チャネルの品質として監視することを特徴とする請求項２に記載の親局装置。
【請求項５】
前記制御部による制御によって決定された通知周期を前記端末装置へ指示する指示部を更に有することを特徴とする請求項１に記載の親局装置。
【請求項６】
親局装置と端末装置との間で無線通信を行う無線通信システムにおける端末装置であって、
前記端末装置の属性若しくは前記親局装置との通信において指定されているコネクションの属性を示す属性情報の識別を行う識別部と、
前記親局装置との間に確立された無線チャネルの品質管理のために該親局装置へ周期的に通知している管理情報の通知周期を、前記属性情報の識別結果に基づいて決定する制御を行う制御部と、
を有することを特徴とする端末装置。
【請求項７】
親局装置と端末装置との間で無線通信を行う無線通信システムにおいて該親局装置と該端末装置との間に確立される無線チャネルの品質管理の方法であって、
前記無線チャネルの品質を監視し、
前記端末装置の属性若しくは親局装置と端末装置との通信において指定されているコネクションの属性を示す属性情報の識別を行い、
前記無線チャネルの品質管理のために前記通信の相手方に対して周期的に通知する管理情報の通知周期の決定を、該無線チャネルの品質の監視結果と前記属性情報の識別結果との両者に基づいて行う、
ことを特徴とする無線チャネルの品質管理方法。
【請求項８】
前記属性情報で示されている属性は、前記端末装置が固定端末であるか移動端末であるかを識別する属性であり、
前記端末装置が移動端末との識別結果を得た場合には、該端末装置が固定端末との識別結果を得た場合よりも短くなるように前記通知周期の決定を行い、
前記端末装置が固定端末との識別結果を得ている場合において、前記無線チャネルの品質の変動が所定の判定閾値よりも大きいとの監視結果を得た場合には、前記通知周期を短く変更する決定を行い、
前記端末装置が移動端末との識別結果を得ている場合において、前記無線チャネルの品質の変動が所定の判定閾値よりも小さいとの監視結果を得た場合には、前記通知周期を長く変更する決定を行う、
ことを特徴とする請求項７に記載の無線チャネルの品質管理方法。
【請求項９】
前記属性情報で示されている属性は、前記端末装置の電源の残量を示しており、
前記属性情報の識別によって識別された前記端末装置の電源の残量が所定の閾値よりも少ない場合には、該端末装置の電源の残量が該閾値よりも多く残っている場合よりも長くなるように前記通知周期の決定を行い、
前記属性情報の識別によって識別された前記端末装置の電源の残量が前記閾値よりも少ない場合において、前記無線チャネルの品質の変動が所定の判定閾値よりも大きいとの監視結果を得た場合には、前記通知周期を短く変更する決定を行い、
前記属性情報の識別によって識別された前記端末装置の電源の残量が前記閾値よりも多く残っている場合において、前記無線チャネルの品質の変動が所定の判定閾値よりも小さいとの監視結果を得た場合には、前記通知周期を長く変更する決定を行う、
ことを特徴とする請求項７に記載の無線チャネルの品質管理方法。
【請求項１０】
前記属性情報で示されている属性は、前記端末装置との通信の優先度若しくは該端末装置との通信について指定されているコネクションの優先度を示しており、
前記属性情報の識別によって識別された優先度が所定の優先度よりも高い場合には、該属性情報の識別によって識別された優先度が該所定の優先度よりも低い場合よりも短くなるように前記通知周期の決定を行い、
前記属性情報の識別によって識別された優先度が所定の優先度よりも高い場合において、前記無線チャネルの品質の変動が所定の判定閾値よりも大きいとの監視結果を得た場合には、前記通知周期を短く変更する決定を行い、
前記無線チャネルの品質の変動が所定の判定閾値よりも小さいとの監視結果を得た場合には、前記通知周期を長く変更する決定を行う、
ことを特徴とする請求項７に記載の無線チャネルの品質管理方法。
【国際調査報告】
2008026256.tif 000037
2008026256.tif 000038
2008026256.tif 000039
2008026256.tif 000040